(57)【特許請求の範囲】
【請求項１】
混合して使用される複数種の内容物が互いに独立して収容される吐出容器であって、
異なる種類の内容物がそれぞれ収容される複数の収容チューブ容器体と、
これらの収容チューブ容器体が内部に装填されるとともに、吐出口を有する吐出キャップが口部に着脱自在に装着された吐出チューブ容器体と、を備え、
前記複数の収容チューブ容器体の口部は、前記吐出キャップに直接ないし間接的に離脱自在に装着され、
前記吐出チューブ容器体の口部から前記吐出キャップが離脱され前記複数の収容チューブ容器体の口部が前記吐出キャップから離脱された後、前記吐出チューブ容器体内に、前記複数の収容チューブ容器体の口部から内容物が各別に吐出されることを特徴とする吐出容器。
【請求項２】
請求項１記載の吐出容器であって、
前記複数の収容チューブ容器体は、保持部材により全体が一体に径方向の外側から巻き付けられていることを特徴とする吐出容器。
【発明の詳細な説明】
【技術分野】
【０００１】
本発明は、混合して使用される複数種の内容物が互いに独立して収容される吐出容器に関する。
【背景技術】
【０００２】
従来から、この種の吐出容器として、例えば下記特許文献１に示されるような、外チューブと、この外チューブ内に装填された内チューブと、を備え、これらの外チューブおよび内チューブに、互いに異なる種類の内容物が収容された構成が知られている。
この吐出容器では、外チューブの口部と内チューブの口部とがアダプタで連結されている。このアダプタは、外チューブの口部内に嵌合する円筒部と、円筒部の下端に配置され内チューブの口部の外周面に螺合するキャップ状の螺合部と、を備えている。アダプタの円筒部内は、仕切壁によって第１の通路と第２の通路とに仕切られている。そして、円筒部の第１の通路側には、外チューブ内に連通する横孔が穿設されるとともに、第２の通路の下端は、螺合部内に連通している。
この吐出容器から内容物を吐出するためには、内チューブが外チューブ内に装填された状態で、外チューブを径方向の内側に押し込む。すると、内チューブが外チューブとともに径方向の内側に押し込まれ、外チューブに収容された内容物が、横孔および第１の通路を通って外部に吐出されるとともに、内チューブに収容された内容物が、第２の通路を通って外部に吐出される。これにより、複数種の内容物が混合されることなく外部に吐出され、その後、吐出された複数種の内容物を吐出容器の外部で混合して使用する。
【先行技術文献】
【特許文献】
【０００３】
【特許文献１】特許第３８９９４４１号公報
【発明の概要】
【発明が解決しようとする課題】
【０００４】
しかしながら、前記従来の吐出容器では、複数種の内容物を吐出するために、アダプタに形成された第１の通路および第２の通路を通して吐出する必要があり、吐出容器の構造が複雑になるという問題があった。
またこのように、複数種の内容物が、第１の通路および第２の通路をそれぞれ通って混合されることなく吐出されるので、吐出された複数種の内容物を吐出容器の外部で混合する必要があった。
さらに、内チューブが外チューブ内に装填された状態で、外チューブを径方向の内側に押し込むことで、内チューブおよび外チューブに収容された内容物を各別に吐出することから、これらの内容物それぞれを所定の量、吐出させることが難しかった。その結果、これらの複数種の内容物の混合比率を安定させることが難しいという問題もあった。
【０００５】
本発明は、前述した事情に鑑みてなされたものであって、その目的は、構造の簡素化を図るとともに複数種の内容物を外部で混合する必要がなく、これらの内容物をその混合比率を安定させて混合することができる吐出容器を提供することである。
【課題を解決するための手段】
【０００６】
前記課題を解決するために、本発明は以下の手段を提案している。
本発明に係る吐出容器は、混合して使用される複数種の内容物が互いに独立して収容される吐出容器であって、異なる種類の内容物がそれぞれ収容される複数の収容チューブ容器体と、これらの収容チューブ容器体が内部に装填されるとともに、吐出口を有する吐出キャップが口部に着脱自在に装着された吐出チューブ容器体と、を備え、前記複数の収容チューブ容器体の口部は、前記吐出キャップに直接ないし間接的に離脱自在に装着され、前記吐出チューブ容器体の口部から前記吐出キャップが離脱され前記複数の収容チューブ容器体の口部が前記吐出キャップから離脱された後、前記吐出チューブ容器体内に、前記複数の収容チューブ容器体の口部から内容物が各別に吐出されることを特徴とする。
【０００７】
この発明では、まず、吐出チューブ容器体の口部から吐出キャップを離脱させることで、この吐出キャップに口部が装着された複数の収容チューブ容器体を、吐出チューブ容器体内から取り出す。その後、各収容チューブ容器体の口部を吐出キャップから離脱させた後、各収容チューブ容器体の口部から内容物を吐出チューブ容器体内に各別に吐出することで、吐出チューブ容器体の内部に複数種の内容物を吐出する。そして、吐出チューブ容器体の口部に吐出キャップを装着させるとともに、吐出チューブ容器体内で複数種の内容物を混合した後、これらの内容物の混合物を吐出キャップの吐出口から吐出する。
【０００８】
以上により、この吐出容器によれば、吐出チューブ容器体内で複数種の内容物を混合した後、これらの内容物の混合物を吐出キャップの吐出口から吐出することができるので、複数種の内容物を外部で混合する必要がない。
またこのように、内容物の混合物を吐出キャップの吐出口から吐出することができるので、複数種の内容物それぞれに対応した専用の通路を吐出キャップに設ける必要がない。これにより、この吐出容器の構造の簡素化を図ることができる。
さらに、吐出チューブ容器体の内部に複数種の内容物を吐出するときに、各収容チューブ容器体の口部から内容物を吐出チューブ容器体内に各別に吐出することができるので、複数種の内容物それぞれを所定の量（好ましくは全量）吐出させることができる。これにより、吐出チューブ容器体の内部で、複数種の内容物をその混合比率を安定させて混合することができる。
【０００９】
また、複数の収容チューブ容器体の口部が吐出キャップに装着されているので、複数の収容チューブ容器体を、吐出キャップの離脱と同時に吐出チューブ容器体内から取り出すことができる。これにより、この吐出容器の操作性を良好なものとすることができる。
さらに、複数種の内容物を混合する吐出チューブ容器体内に、複数の収容チューブ容器体が収容されているので、この吐出容器の構造を複雑にすることなく吐出容器のコンパクト化を図ることができる。
【００１０】
また、前記複数の収容チューブ容器体は、保持部材により全体が一体に径方向の外側から巻き付けられていても良い。
【００１１】
この場合、複数の収容チューブ容器体が、保持部材により全体が一体に径方向の外側から巻き付けられているので、一体に保持された複数の収容チューブ容器体の胴部を、径方向の外側から押し込むことで、各収容チューブ容器体の姿勢を安定させた状態で、各収容チューブ容器体から内容物を同時に吐出させることができる。これにより、各収容チューブ容器体から内容物を円滑に吐出することが可能になり、この吐出容器の操作性を一層良好なものとすることができる。
【発明の効果】
【００１２】
本発明に係る吐出容器によれば、構造の簡素化を図るとともに複数種の内容物を外部で混合する必要がなく、これらの内容物をその混合比率を安定させて混合することができる。
【図面の簡単な説明】
【００１３】
【図１】本発明の一実施形態に係る吐出容器の半縦断面図である。
【図２】図１に示す吐出容器を構成する吐出キャップの半縦断面図である。
【図３】図２に示すＡ−Ａ断面矢視図である。
【図４】図１に示す吐出容器の作用を説明する図である。
【図５】図１に示す吐出容器の作用を説明する図である。
【発明を実施するための形態】
【００１４】
以下、図面を参照し、本発明の一実施形態に係る吐出容器を説明する。
図１に示すように、吐出容器１は、混合して使用される複数種の内容物Ｍ（図４参照）が互いに独立して収容されるものである。この吐出容器１は、異なる種類の内容物Ｍがそれぞれ収容される２つ（複数）の収容チューブ容器体２と、これらの収容チューブ容器体２が内部に装填されるとともに、吐出口４を有する吐出キャップ５が口部３ｃに着脱自在に装着された吐出チューブ容器体３と、を備えている。
【００１５】
これらのチューブ容器体２、３は、一端開口部が閉塞されてなるシール部２ａ、３ａが形成された胴部２ｂ、３ｂと、該胴部２ｂ、３ｂの他端開口部に配設された口部２ｃ、３ｃと、を備えている。なお各チューブ容器体２、３において、胴部２ｂ、３ｂおよび口部２ｃ、３ｃは同軸に配設されるとともに、シール部２ａ、３ａは、胴部２ｂ、３ｂがその径方向に挟み込まれて閉塞されてなる板状に形成されている。
これらの複数のチューブ容器体２、３は、従来使用されている金型、製造方法で形成される一般的な構成となっており、低コストで製造することができる。
【００１６】
ここで、吐出チューブ容器体３の胴部３ｂおよび口部３ｃ、並びに吐出口４、吐出キャップ５はそれぞれの中心軸線が共通軸上に位置された状態で配設されている。以下では、この共通軸を容器軸Ｏといい、容器軸Ｏ方向に直交する方向を単に径方向という。また、容器軸Ｏ方向に沿った吐出キャップ５側を上側、吐出チューブ容器体３のシール部３ａ側を下側という。
【００１７】
吐出キャップ５は、吐出チューブ容器体３の口部３ｃの外周面に着脱自在に螺合された外筒部６と、吐出チューブ容器体３の口部３ｃ内に嵌合された内筒部７と、この内筒部７内に配置され吐出チューブ容器体３の胴部３ｂ内に連通する連通筒部８と、外筒部６および内筒部７の上端同士を全周にわたって連結するとともに吐出チューブ容器体３の口部３ｃの上端開口縁上に配置された第１連結板部９と、内筒部７および連通筒部８の下端同士を全周にわたって連結する第２連結板部１０と、連通筒部８の上端開口部を閉塞する閉塞板部１１と、閉塞板部１１に立設されるとともに内部が連通筒部８内に連通するノズル筒部１２と、を備えている。なお図示の例では、ノズル筒部１２の上端開口部は、前記吐出口４となっており、このノズル筒部１２の外周面には、吐出口４を覆うオーバーキャップ１３が着脱自在に装着されている。
【００１８】
各収容チューブ容器体２において胴部２ｂおよび口部２ｃを通る図示しないチューブ軸は、容器軸Ｏと平行となっており、各収容チューブ容器体２は、口部２ｃが上側に位置しシール部２ａが下側に位置するように配置されている。
そして本実施形態では、２つの収容チューブ容器体２の口部２ｃは、離脱自在な蓋部１４によって閉塞されるとともに、吐出キャップ５に離脱自在に装着されている。
【００１９】
蓋部１４は有頂筒状に形成されており、収容チューブ容器体２の口部２ｃの外周面に着脱自在に螺合されている。そして、各収容チューブ容器体２の口部２ｃは、吐出キャップ５に蓋部１４を介して離脱自在に装着されており、図示の例では、吐出キャップ５の前記連通筒部８内に蓋部１４を介して着脱自在に装着されている。
【００２０】
ここで図２および図３に示すように、前記連通筒部８は、横断面視Ｃ字状に形成され容器軸Ｏを間に挟んで互いの開口部１５同士が対向する一対の装着部１６と、これらの装着部１６の周端部同士のうち、開口部１５の開口方向に互いに対向する周端部同士を連結する連結部１７と、を備えている。
【００２１】
装着部１６内には、前記蓋部１４が着脱自在に嵌合されている。また、装着部１６の内周面には、その径方向の内側に向けて突出し、蓋部１４が上方から係脱自在に係合された係合突起１８が形成されている。図示の例では、係合突起１８は、装着部１６の周方向に沿って間隔をあけて複数配設されており、図１に示すように、この係合突起１８には、蓋部１４の下端縁が係合している。
【００２２】
また、２つの収容チューブ容器体２は、互いに同形同大とされており、これらの収容チューブ容器体２の容器軸Ｏ方向の位置は同等となっている。図示の例では、２つの収容チューブ容器体２は、各シール部２ａの表裏面が同一方向に沿うとともに、互いの胴部２ｂ同士が当接した状態で配設されている。
【００２３】
そして、２つの収容チューブ容器体２は、シュリンクフィルム（保持部材）１９により全体が一体に径方向の外側から巻き付けられている。このシュリンクフィルム１９は、容器軸Ｏ回りの全周にわたって延在しており、図示の例では、容器軸Ｏ方向に広幅な帯状であるとともに、収容チューブ容器体２の胴部２ｂに巻き付けられている。
【００２４】
次に、以上のように構成された吐出容器１の作用について説明する。
この吐出容器１を用いて複数種の内容物Ｍを吐出するときには、まず、吐出チューブ容器体３の口部３ｃから吐出キャップ５を離脱させることで、この吐出キャップ５に口部２ｃが装着された２つの収容チューブ容器体２を、吐出チューブ容器体３内から取り出す。
【００２５】
その後、図４に示すように、各収容チューブ容器体２の口部２ｃを吐出キャップ５から離脱させるとともに、各収容チューブ容器体２の口部２ｃから蓋部１４を離脱させた後、各収容チューブ容器体２の口部２ｃから内容物Ｍを吐出チューブ容器体３内に各別に吐出することで、吐出チューブ容器体３の内部に複数種の内容物Ｍを吐出する。このとき、例えば、シュリンクフィルム１９によって一体に保持された複数の収容チューブ容器体２の胴部２ｂを、径方向（シュリンクフィルム１９の径方向）の外側から押し込むことで内容物Ｍを吐出する。
【００２６】
その後、図５に示すように、吐出チューブ容器体３の口部３ｃに吐出キャップ５を装着させるとともに、吐出チューブ容器体３内で複数種の内容物Ｍを混合する。このとき例えば、吐出チューブ容器体３の胴部３ｂを、径方向に複数回押し込むことで内容物Ｍを混合する。そして、吐出キャップ５のノズル筒部１２からオーバーキャップ１３を離脱させた後、例えば、吐出チューブ容器体３の胴部３ｂを径方向に、内容物Ｍを混合したときよりも大きく押し込むことで、複数種の内容物Ｍの混合物Ｎを、吐出キャップ５の連通筒部８内、ノズル筒部１２内を通して吐出口４から吐出する。
【００２７】
以上説明したように、本実施形態に係る吐出容器１によれば、吐出チューブ容器体３内で複数種の内容物Ｍを混合した後、これらの内容物Ｍの混合物Ｎを吐出キャップ５の吐出口４から吐出することができるので、複数種の内容物Ｍを外部で混合する必要がない。
またこのように、内容物Ｍの混合物Ｎを吐出キャップ５の吐出口４から吐出することができるので、複数種の内容物Ｍそれぞれに対応した専用の通路を吐出キャップ５に設ける必要がない。これにより、この吐出容器１の構造の簡素化を図ることができる。
さらに、吐出チューブ容器体３の内部に複数種の内容物Ｍを吐出するときに、各収容チューブ容器体２の口部２ｃから内容物Ｍを吐出チューブ容器体３内に各別に吐出することができるので、複数種の内容物それぞれを所定の量（好ましくは全量）吐出させることができる。これにより、吐出チューブ容器体３の内部で、複数種の内容物Ｍをその混合比率を安定させて混合することができる。
【００２８】
また、複数の収容チューブ容器体２の口部２ｃが吐出キャップ５に装着されているので、複数の収容チューブ容器体２を、吐出キャップ５の離脱と同時に吐出チューブ容器体３内から取り出すことができる。これにより、この吐出容器１の操作性を良好なものとすることができる。
さらに、複数種の内容物Ｍを混合する吐出チューブ容器体３内に、複数の収容チューブ容器体２が収容されているので、この吐出容器１の構造を複雑にすることなく吐出容器１のコンパクト化を図ることができる。
【００２９】
また、２つの収容チューブ容器体２が、シュリンクフィルム１９により全体が一体に径方向の外側から巻き付けられているので、一体に保持された２つの収容チューブ容器体２の胴部２ｂを、径方向の外側から押し込むことで、各収容チューブ容器体２の姿勢を安定させた状態で、各収容チューブ容器体２から内容物Ｍを同時に吐出させることができる。これにより、各収容チューブ容器体２から内容物Ｍを円滑に吐出することが可能になり、この吐出容器１の操作性を一層良好なものとすることができる。
【００３０】
なお、本発明の技術的範囲は前記実施形態に限定されるものではなく、本発明の趣旨を逸脱しない範囲において種々の変更を加えることが可能である。
例えば、前記実施形態では、収容チューブ容器体２は２つ設けられているものとしたが、３つ以上設けられていても良い。
【００３１】
また前記実施形態では、２つの収容チューブ容器体２は、シュリンクフィルム１９により全体が一体に径方向の外側から巻き付けられているものとしたが、シュリンクフィルム１９に代えて他の保持部材を採用することも可能である。例えば、環状のゴム部材などでも良い。
また、シュリンクフィルム１９（保持部材）はなくても良い。
【００３２】
また、オーバーキャップ１３はなくても良い。
さらに、吐出キャップ５は、前記実施形態に示したものに限られず、吐出口４を有するとともに吐出チューブ容器体３の口部３ｃに着脱自在に装着され、かつ複数の収容チューブ容器体２の口部２ｃが離脱自在に装着される構成であれば適宜変更することが可能である。例えば、吐出キャップ５の外筒部６が、吐出チューブ容器体３の口部３ｃに、着脱自在にアンダーカット嵌合されていたり、着脱自在に圧入されていたりしても良い。
また、前記実施形態では、収容チューブ容器体２の口部２ｃは、吐出キャップ５に蓋部１４を介して離脱自在に装着されているものとしたが、蓋部１４を介さずに直接装着されていても良い。
【００３３】
また蓋部１４は、収容チューブ容器体２の口部２ｃの外周面に着脱自在に螺合されているものとしたが、離脱自在に装着されていれば、口部２ｃとの装着構造を適宜変更することが可能である。例えば、蓋部１４は、収容チューブ容器体２の口部２ｃにアンダーカット嵌合や圧入などされることで離脱自在に装着されていても良い。
さらに蓋部１４は、有頂筒状に限られず、例えばフィルム状に形成され収容チューブ容器体２の口部２ｃの上端開口縁に接着などされた構成であっても良い。
さらにまた前記実施形態では、蓋部１４は、吐出キャップ５とは別部材とされているものとしたが、これに限られない。例えば、吐出キャップ５の閉塞板部１１が、収容チューブ容器体２の口部２ｃを閉塞する蓋部とされ、収容チューブ容器体２の口部２ｃが連通筒部８に装着された状態で、収容チューブ容器体２の口部２ｃを閉塞していても良い。この場合、収容チューブ容器体２の口部２ｃを連通筒部８から離脱することで、収容チューブ容器体２の口部２ｃから前記蓋部を離脱させることができる。
また、蓋部１４は無くても良い。
【００３４】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００３５】
１  吐出容器
２  収容チューブ容器体
２ｃ  収容チューブ容器体の口部
３  吐出チューブ容器体
３ｃ  吐出チューブ容器体の口部
４  吐出口
５  吐出キャップ
１９  シュリンクフィルム（保持部材）
Ｍ  内容物
【図１】
0005676958.tif 000002
【図２】
0005676958.tif 000003
【図３】
0005676958.tif 000004
【図４】
0005676958.tif 000005
【図５】
0005676958.tif 000006